【事件の表示】
　平成　３年特許願第２４７６３３号「印刷装置」拒絶査定に対する審判事件［平成　５年　４月　６日出願公開、特開平　５−　８５０１３］について、次のとおり審決する。
【結　論】
　本件審判の請求は、成り立たない。
【理　由】
１．［手続の経緯・本願発明の内容］
　本願は、平成３年９月２６日の出願であって、その請求項１に係る発明は、平成１０年８月２４日、平成１１年１０月８日付手続補正書により補正された内容を含む明細書及び図面の記載からみて、特許請求の範囲の請求項１に記載された次のとおりのものと認める。
　「ページ記述言語、インターフェース情報、紙カセット情報を含む、印刷装置の各種設定内容の組を複数記憶する記憶手段と、外部からの指示に基づいて、所望の設定内容の組を前記記憶手段に登録する登録手段と、
　外部からの印刷データの転送に先立って、転送される外部からの指示に基づいて前記所望の設定内容の組を前記記憶手段から読み出す、或いは操作パネルからの指示に基づいて前記所望の設定内容の組を表示上に読み出す読出手段と、
　前記外部からの印刷データの転送に先立って、外部からの指示に基づいて、前記読出手段により、前記所望の設定内容の組が読み出された場合は当該読み出された設定内容の組に基づいて印刷データの印刷を制御し、或いは、前記操作パネルからの指示に基づいて所望の設定内容の組が表示上に読み出された場合は、次に前記外部から転送される印刷データの印刷を前記表示されている設定内容の組に基づいて制御する制御手段と
　を備えたことを特徴とする印刷装置。」（以下、「本願発明」という。）
　
２．［引用例］
　これに対して、原査定の拒絶の理由として引用した特開平２−８０８０号公報（以下、引用例という。）には、下記の事項が記載されている。
　
　「複数のホストインターフエースを有し、その各ホストインターフエースに接続された複数のホストマシンからの印刷情報をそれぞれ印刷出力するプリンタにおいて、前記各ホストインターフエース毎に印刷情報の出力形式を設定して記憶する手段を備え、その各ホストインターフエースに接続された各ホストマシンからの印刷情報をそれぞれ異なる出力形式で印刷し得るようにした・・・プリンタ。」（特許請求の範囲請求項２）、
　「請求項２記載のプリンタにおいて、各ホストインターフエース毎に印刷情報の出力形式を設定するための情報を入力する入力部と、設定記憶された各ホストインターフエース毎の出力形式の情報を選択的に表示する表示部とを有するコントロールパネルを備えた・・・プリンタ。」（特許請求の範囲請求項３）、
　「請求項２記載のプリンタにおいて、各ホストインターフエースに対応して遠隔操作可能な個別のサブコントロールパネルを設け、その各サブコントロールパネルにそれぞれ個別にホストマシンからの印刷情報の出力形式を設定するための情報を入力する入力部と、そのホストマシン用に設定記憶された出力形式の情報を表示する表示部とを設けた・・・プリンタ。」（特許請求の範囲請求項４）、
　「このレーザプリンタ１は、複数個のホストインタフェース（コネクタ）及びサブコントロールパネル・インタフェース（コネクタ）を有し、各ホストインタフェースには・・・複数台・・・のホストマシンＨＴ１〜ＨＴ３を接続し、また各サブコントロールパネル・インタフェースには各ホストマシンＨＴ１〜ＨＴ３用のサブコントロールパネルＳＰ１〜ＳＰ３を接続している。サブコントロールパネルＳＰ１〜ＳＰ３には、・・・動作モードの設定状況（そのホストマシンに対して設定記憶されている出力形式の情報を含む）、他のホストマシンによるプリンタ１の使用状況や状態等を表示する表示部８と、プリンタ１の動作モードや出力形式の設定等に際しての情報を入力する入力部９とを備えている。」（３頁右上欄２０行〜左下欄１９行）、
　「コントロールパネル制御部１１は、本体コントロールパネル５及びサブコントロールパネルＳＰ１〜ＳＰ３の各入力部７、９からの各種入力情報の取込み及び各表示部６、８に対する表示情報の送出等の制御を司り、本体コントロールパネル５及びサブコントロールパネルＳＰ１〜ＳＰ３によって設定される動作モードや出力形式等の設定情報を、不揮発性メモリからなるコントロールパネルメモリ１２に格納し、またコントロールパネルメモリ１２から必要な情報を読み出す制御をする。なお、このコントロールパネル制御部１１は、本体コントロールパネル５の制御については各ホストマシンＨＴ１〜ＨＴ３毎に表示情報及び入力情報を記憶するようにして、本体コントロールパネル５を各々のホストマシンＨＴ１〜ＨＴ３のコントロールパネルとして切換えて選択使用できるようにしている。」（４頁右上欄１１行〜左下欄７行）、
　「第１図はこのレーザプリンタ制御系内の出力形式の設定登録にかかわる部分を機能的に示すブロック図である。入力部２１は出力形式の設定に必要な情報を入力し、表示部は出力形式の設定に際しての必要な情報を表示する。出力形式設定部２３は入力部２１から入力される出力形式設定情報を取込み、必要に応じて表示部２２に設定出力形式情報を表示して、設定された出力形式を出力形式登録部２４に登録する。」（４頁左下欄１６行〜右下欄５行）、
　「出力形式の設定状態がＯＫになったときには、コントロールパネルメモリ１２の出力形式情報格納エリアの内、出力形式設定モードが指示されたホストマシンＨＴ１〜ＨＴ３の出力形式格納エリアに設定出力形式情報を格納して登録する。」（５頁左上欄１８行〜右上欄４行）、
　「一台のホストマシンの印刷情報を内容等に応じて分類した出力するような場合にも実施することができる。この場合には、例えばプリンタ側に各出力形式の情報を保持しておき、印刷開始に先立って出力形式を指定する情報を送るようにすればよい。」（６頁右上欄１３〜１８行）。
　引用例には「プリンタ側に各出力形式の情報を保持しておき、印刷開始に先立って出力形式を指定する情報を送る」（６頁右上欄１６〜１８行）との記載があり、印刷情報の印刷出力の際に、外部からの印刷情報の転送に先立って、記憶手段から印刷情報に対応する出力形式の情報が読み出され、その出力形式の情報により印刷情報の印刷を制御すると理解できる。
　
　以上の記載から、引用例には下記の発明が記載されている。
　「プリンタの出力形式の設定情報を記憶する不揮発性メモリからなるコントロールパネルメモリ１２を備え、
　サブコントロールパネルＳＰ１〜ＳＰ３によって設定される出力形式の設定情報を前記コントロールパネルメモリ１２の出力形式格納エリアに格納して登録し、
　外部からの印刷情報の転送に先立って、サブコントロールパネルＳＰ１〜ＳＰ３からの指示に基づいて、コントロールパネルメモリ１２から必要な出力形式の設定情報を読み出し、
　前記外部からの印刷情報の転送に先立って、サブコントロールパネルＳＰ１〜ＳＰ３からの指示に基づいて、コントロールパネルメモリ１２から必要な出力形式の設定情報が読み出された場合は、ホストマシンからの印刷情報を当該読み出された設定内容に基づいて印刷情報の印刷を制御し印刷出力することを特徴とするプリンタ。」（以下、「引用発明」という。）
　
３．［対比・判断］
　本願発明と引用発明とを対比する。
　引用発明における「出力形式の設定情報」はホストマシン側にあるサブコントロールパネル３の入力部９によって設定されるものであり、本願発明における「各種設定内容」は、ホストコンピュータにより設定されるものであるから、引用発明における「出力形式の設定情報」は、本願発明の「各種設定内容」に相当する。
　さらに、引用発明の「プリンタ」、「印刷情報」、「コントロールパネルメモリ１２」、「コントロールパネルメモリ１２の出力形式格納エリアに格納して登録し」は、それぞれ本願発明の「印刷装置」、「印刷データ」、「記憶手段」、「登録手段」に相当し、引用発明の「サブコントロールパネルからの指示」はサブコントロールパネルがホストマシン側にあるものであるから、本願発明の「外部からの指示」に対応する。
　してみると、本願発明と引用発明とは、
　「印刷装置の各種設定内容を複数記憶する記憶手段と、外部からの指示に基づいて、設定内容を前記記憶手段に登録する登録手段と、外部からの印刷データの転送に先立って、転送される外部からの指示に基づいて前記設定内容を前記記憶手段から読み出す読出手段と、前記外部からの印刷データの転送に先立って、外部からの指示に基づいて、前記読出手段により、前記設定内容が読み出された場合は当該読み出された設定内容に基づいて印刷データの印刷を制御する制御手段を備えたことを特徴とする印刷装置。」である点で一致し、次の点で相違する。
　
　相違点１：印刷装置の各種設定内容について、本願発明では、各種設定内容の組としているのに対して、引用発明は、出力形式の情報の組と明記されていない点。
　相違点２：記憶手段に登録する設定内容について、本願発明では、所望の設定内容の組であるのに対して、引用発明では、単に出力形式の設定情報としている点。
　相違点３：印刷装置の各種設定内容について、本願発明では、ページ記述言語、インターフェース情報、紙カセット情報を含むとし、引用発明では、設定内容について、本願発明で示された情報について記載されていない点。
　
　上記相違点について、検討する。
　相違点１について。
　引用例には「一台のホストマシンの印刷情報を内容等に応じて分類した出力するような場合にも実施することができる。この場合には、例えばプリンタ側に各出力形式の情報を保持しておき、印刷開始に先立って出力形式を指定する情報を送る」（６頁右上欄１３〜１８行）と記載されている。
　このことは、印刷情報を分類した状態とするためには、各分類されたグループ毎に設定情報の組合せを異なるものとする必要があるものと解される。
　してみると、引用発明の出力形式の設定情報を複数の内容からなる組として捉えて設定し、本願発明の如く構成することは、当業者が容易に想到しうる程度のことである。
　次に、相違点２について。
　各種設定内容を組として設定することは、上記相違点１において検討したとおりであって、その際、記憶手段に登録する設定内容について、所望の設定内容とすることは、当業者が必要に応じて適宜なし得る単なる設計的事項にすぎない。
　次に、相違点３について。
　印刷装置の各種設定内容であるページ記述言語、インターフェース情報、紙カセット情報について、本願明細書には、段落【００１３】、【００２３】の２箇所に、「スイッチ部の操作により設定した用紙カセットや外部インターフェース、ページ記述言語などの各種設定、もしくはそれらの設定の組合せは設定記憶部10に複数登録することができる。」と記載されており、各種設定内容の例示として示されているに過ぎず、特にページ記述言語、インターフェース情報、紙カセット情報を選択したことによる技術的意義は存在しない。
　してみると、印刷装置の各種設定内容として、これらの情報を選択することに格別困難性を要するものでなく、当業者が容易に想到しうるものである。
　
　尚、請求人は、「引用例１は、あくまで印刷情報の種類に応じて出力形式が設定されるものであり、印刷装置側の操作パネルに対する操作によって出力形式を指定し、指定された出力形式の内容を表示し、表示されている出力形式で印刷データの処理を制御する点は、何等開示、示唆しておりません。」（審判請求書第６頁第２０〜２３行）と主張する。
　しかしながら、本願発明は、前記特許請求の範囲第１項の記載によると、「外部からの指示に基づいて、前記読出手段により、前記所望の設定内容の組が読み出された場合は当該読み出された設定内容の組に基づいて印刷データの印刷を制御し、
或いは
　
４．［むすび］
　以上の通りであるから、本願の請求項１に係る発明は、引用例の記載に基づいて当業者が容易に発明をすることができたものと認められるから、特許法第２９条第２項の規定により特許を受けることができない。
  よって、結論の通り審決する。